(57)【要約】【課題】取り扱いが容易であるとともに、患者の使用感及び安定性を向上した医療用シーツを提供する。【解決手段】レーヨン繊維からなる帯状の不織布２の裏面３をポリエチレン樹脂でラミネート加工するとともに、その不織布２を長手方向の端部４同士が表面５側で接触するように折曲部６で折り曲げることで医療用シーツ１を構成する。【選択図】図１
2015112267.tif 000002
【特許請求の範囲】
【請求項１】
医療用ベッド上に敷く医療用シーツであって、レーヨン繊維からなる帯状の不織布の裏面をポリエチレン樹脂でラミネート加工するとともに、前記不織布を長手方向の端部同士が表面側で接触するように折り曲げてなることを特徴とする医療用シーツ。
【請求項２】
前記不織布の裏面を更にラミネート加工した請求項１に記載の医療用シーツ。
【請求項３】
前記不織布の裏面のラミネート加工に用いた樹脂にシリコンを混入した請求項１又は２に記載の医療用シーツ。
【請求項４】
前記ラミネート加工された不織布の裏面にコロナ放電処理を施した請求項１又は２に記載の医療用シーツ。
【請求項５】
前記医療用シーツを、前記接触している端部同士が常に内側に位置するようにして、長手逆方向へ引張力を加えながらロール状に巻き取ってなる請求項１〜３のいずれかに記載の医療用シーツ。
【発明の詳細な説明】
【技術分野】
【０００１】
本発明は医療用シーツに関し、更に詳しくは、取り扱いが容易であるとともに、患者の使用感及び安定性を向上した医療用シーツに関する。
【背景技術】
【０００２】
医療現場には、患者の診察や手術などの医療行為を行うための診察台や手術台（以下、「医療用ベッド」という。）が多く設置されているが、主に衛生管理の観点から、医療用シーツを敷設した上に患者を横たえるようにしている。
【０００３】
この医療用シーツには、患者の体液や血液が付着することがあるため、医療行為の度に交換して廃棄処分するのが理想的である。そのため、医療用シーツには、安価でかつ焼却可能なポリエチレン繊維からなる不織布が一般に用いられるようになった（例えば、特許文献１を参照）。
【０００４】
このポリエチレン繊維からなる不織布は、通常は長尺の帯状で提供されるため、看護師等が敷く際には、この不織布を医療用ベッドの長手方向のサイズに合わせて裁断し、次いで幅方向（短手方向）に合わせて位置を調整するなどの手間が掛かるという問題があった。
【０００５】
また、ポリエチレン繊維からなる不織布は、患者の使用感（肌触りなど）が劣るとともに、医療用ベッド上で水平方向にズレやすく不安定であるため、医療行為に支障を来すおそれがある。
【先行技術文献】
【特許文献】
【０００６】
【特許文献１】特開２０００−０２４０５４号公報
【発明の概要】
【発明が解決しようとする課題】
【０００７】
本発明の目的は、取り扱いが容易であるとともに、患者の使用感及び安定性を向上した医療用シーツを提供することにある。
【課題を解決するための手段】
【０００８】
上記の目的を達成する本発明の医療用シーツは、医療用ベッド上に敷く医療用シーツであって、レーヨン繊維からなる帯状の不織布の裏面をポリエチレン樹脂でラミネート加工するとともに、前記不織布を長手方向の端部同士が表面側で接触するように折り曲げてなることを特徴とするものである。
【０００９】
上記の医療用シーツにおいては、不織布の裏面を更にラミネート加工することで、安定性をより向上できるとともに、病原体の感染を防止することができる。また、ラミネート加工に用いた樹脂にシリコンを混入するか、あるいはラミネート加工された不織布の裏面にコロナ放電処理を施すことで、安定性を更に向上することができる。
【００１０】
上記の医療用シーツを、接触している端部同士が常に内側に位置するようにして、長手逆方向へ引張力を加えながらロール状にシワなく巻き取ることで、保管・運搬時の衛生性を向上でできるとともに、患者の褥瘡の発生を防止することができる。
【発明の効果】
【００１１】
本発明の医療用シーツによれば、幅方向に裁断して展開するだけで医療用ベッド上に敷くことができるため、取り扱いが容易である。また、医療用ベッドに敷いたときに、表面が肌触りの良いレーヨン繊維となり、かつ裏面が摩擦係数及び引張強度・伸度が大きいラミネート加工された面となるので、患者の使用感及び安定性を向上することができる。
【図面の簡単な説明】
【００１２】
【図１】本発明の実施形態からなる医療用シーツを示す斜視図である。
【図２】医療用シーツを展開した状態を示す斜視図である。
【発明を実施するための形態】
【００１３】
以下に、本発明の実施の形態について、図面を参照して説明する。
【００１４】
図１は、本発明の実施形態からなる医療用シーツを示す。
【００１５】
この医療用シーツ１は、レーヨン繊維からなる帯状の不織布２から主に構成されている。その不織布２の裏面３にはポリエチレン樹脂がラミネート加工されている。そして、不織布２の長手方向の端部４同士が表面５側で接触するように、長手方向に延びる折曲部６で折り曲げられている。折り曲げられた不織布２は、芯材７の周りにロール状に巻き取られて保管・運搬される。
【００１６】
図２に示すように、医療用ベッド８上に敷く際には、ロール状に巻き取られた状態から医療用シーツ１を引き出して幅方向（短手方向）に裁断した後に、医療用ベッド８上で折曲部６の回りに開いて両幅方向へ展開させる。これにより、患者が横たわる表面５側はレーヨン繊維が露出する一方で、ラミネート加工された裏面３が医療用ベッド８の表面に接する状態になる。なお、医療用ベッド８の端部からはみ出た部分は、そのまま垂れ下がらせるか、又はベッド底面に固定される。
【００１７】
このような医療用シーツ１を用いることで、ロール状に巻き取られた状態から引き出して、幅方向に切断して展開するだけで医療用ベッド８上に敷くことができるため、取り扱いを容易にすることができる。また、医療用ベッド８上に敷いたときに、肌触りの良いレーヨン繊維が患者に接するので、患者の使用感を向上することができる。更に、摩擦係数及び引張強度・伸度が大きいラミネート加工された面が医療用ベッド８の表面に接するので、患者が動いても医療用シーツ１が水平方向へズレることがないため、安定性を向上することができる。
【００１８】
上記の実施形態では不織布２を長手方向に沿って１回だけ折り曲げているが、折り曲げる回数はこれに限定されるものではなく、折曲部６同士が表面５側で接触するように、二重、三重に折り曲げてもよい。
【００１９】
通常の医療用ベッド８の幅は６００〜７００ｍｍであるため、医療用シーツ１の幅方向の長さを約８００ｍｍ程度とし、幅方向の中央で端部４同士が接するように折り曲げるのがよい。また、レーヨン繊維からなる不織布２では、患者の体液や血液が付着しても、毛細現象により水平方向へ拡がって保持されて他へ再飛散することがないため、衛生管理を向上することも可能である。
【００２０】
医療用シーツ１の安定性をより向上するには、ラミネート加工の厚さを調整して、例えば長手方向の引張強度が２５Ｎ／５０ｍｍ以上かつ引張伸度が４０％以下であって、幅方向の引張強度が１５Ｎ／５０ｍｍ以上かつ引張伸度が７０％以下となるように、医療用シーツ１に強度の異方性を持たせるようにすることが好ましい。そのためには、ポリエチレン樹脂の方向性を互いに異ならせるように、ラミネート加工（例えば、約１０ミクロン厚）を２回に分けて実施することが望ましい。また、このようにラミネート加工を重ねることで、医療用ベッド８を介しての病原体の感染も防止することができる。
【００２１】
更には、ポリエチレン樹脂にシリコンを混入するか、あるいはラミネート加工された不織布２の裏面３にコロナ放電処理を施すことが望ましい。そのようにすることで、不織布２の裏面３が医療用ベッド８に対して滑りにくくなるため、医療用シーツ１の安定性を更に向上することができる。
【００２２】
この医療用シーツ１は、接触している端部４同士が常に内側に位置するようにロール状に巻き取ることで、患者に接する表面５が外部に露出しない状態となるため、保管・運搬時の衛生性を向上することができる。また、そのようにロール状にすることで、医療用シーツ１を容器等に収納し状態で医療用ベッド８に吊り下げるなどして、利便性を向上させることもできる。
【００２３】
ロール状に巻き取る際には、不織布２の表面５にシワが発生しないように、巻取方向とは逆となる長手方向に引張力Ｆを加えながら行うことが望ましい。医療用シーツ１にシワが発生しなくなることで、患者の血流を阻害しなくなるので、褥瘡の発生を防止することができる。
【００２４】
医療用シーツ１の取り扱いを更に容易にするには、不織布２の坪量を３０〜４０ｇ／ｍ2とし、かつその厚さを０．２〜０．４ｍｍとして軽量化を図ることが好ましい。
本発明の医療用シーツ１は、診察台や手術台に対して好ましく適用されるが、入院患者が使用する病棟のベッドに対しても防水シーツとして適用することが可能である。
【符号の説明】
【００２５】
１  医療用シーツ
２  不織布
３  裏面
４  端部
５  表面
６  折曲部
７  芯材
８  医療用ベッド
【図１】
2015112267.tif 000003
【図２】
2015112267.tif 000004